(57)【特許請求の範囲】
【請求項１】
コンパクト容器蓋がコンパクト容器本体にヒンジ結合されて、棒状化粧品容器がコンパクト容器本体に内蔵されたコンパクト容器であって、
内側に内容物容器(50)が挿入されて、ヒンジ側に第1円筒ヒンジ(11)と第2円筒ヒンジ(12)が形成されたコンパクト容器本体(10)と、
前記コンパクト容器本体(10)の上側にヒンジ結合されており、前記第1円筒ヒンジ(11)と前記第2円筒ヒンジ(12)との間に位置する蓋円筒ヒンジ(21)が形成されたコンパクト容器蓋(20)と、
前記第1円筒ヒンジ(11)内と蓋円筒ヒンジ(21)内とにわたって挿入されて、コンパクト容器蓋(20)とコンパクト容器本体(10)とをヒンジ結合する回転円筒ヒンジ(30)と、
前記第2円筒ヒンジ(12)内と回転円筒ヒンジ(30)の端部内とにわたって挿入される作動部材(40)と、
前記回転円筒ヒンジ(30)と作動部材(40)内に挿入される棒状化粧品容器(60)と、
を含み、
前記回転円筒ヒンジ(30)と、前記蓋円筒ヒンジ(21)とが、互いに回転不能に噛み合わされており、
前記作動部材(40)は、前記第2円筒ヒンジ(12)内に、回転不能に、ヒンジ軸方向に案内されており、
前記作動部材(40)と前記回転円筒ヒンジ(30)とは、これらの一方に設けられたらせん状の回転スリット(32)に、他方に設けられた第2突起(42)が噛み合うように組み合わされており、これにより、前記作動部材(40)は、前記回転円筒ヒンジ(30)及び前記蓋円筒ヒンジ(21)が回転した際に、前記第1円筒ヒンジ(11)の側へと移動することを特徴とする、棒状化粧品容器が内蔵されたコンパクト容器。
【請求項２】
前記回転円筒ヒンジ(30)には、ヒンジ軸方向に延びる差し込みスリット(31)が備えられ、前記蓋円筒ヒンジ(21)の内周面には、差し込み突起(211)が備えられ、前記差し込み突起(211)が前記差し込みスリット(31)に差し込まれることにより、前記回転円筒ヒンジ(30)と、前記蓋円筒ヒンジ(21)とが、互いに回転不能となっている、請求項１に記載の棒状化粧品容器が内蔵されたコンパクト容器。
【請求項３】
前記作動部材(40)の一方の端部の外周面に、第1突起(41)が備えられ、前記第2円筒ヒンジ(12)の内周面に、ヒンジ軸方向に延びる直線凹所(121)が備えられ、前記第1突起(41)が前記直線凹所(121)に噛み合うことにより、前記作動部材(40)は、前記第2円筒ヒンジ(12)内に、回転不能に、ヒンジ軸方向に案内されている、請求項１または２に記載の棒状化粧品容器が内蔵されたコンパクト容器。
【請求項４】
前記回転円筒ヒンジ(30)に前記らせん状の回転スリット(32)が設けられ、作動部材(40)における他方の端部の外周面に前記第2突起(42)が設けられることを特徴とする、請求項１〜３のいずれかに記載の棒状化粧品容器が内蔵されたコンパクト容器。
【請求項５】
前記回転円筒ヒンジ(30)の外周面に、その周方向に延びる結合突起(33)が設けられ、この結合突起(33)は、前記第1円筒ヒンジ(11)の一方の端面と、前記蓋円筒ヒンジ(21)の端部の内周面に設けられた装着環溝(212)とのうちの、少なくとも一方に噛み合っていることを特徴とする、請求項１〜４のいずれかに記載の棒状化粧品容器が内蔵されたコンパクト容器。
【請求項６】
前記回転円筒ヒンジ(30)には、ヒンジ軸方向に延びる差し込みスリット(31)が備えられ、
前記コンパクト容器蓋(20)の蓋円筒ヒンジ(21)は、内部が貫通された円筒形状であり、内部一側には前記差し込みスリット(31)に噛み合う差し込み突起(211)が突出形成されて、他側には装着環溝(212)が形成され、この装着環溝(212)中に、前記結合突起(33)が受けられていることを特徴とする、請求項５に記載の棒状化粧品容器が内蔵されたコンパクト容器。
【請求項７】
前記回転円筒ヒンジ(30)には、外周面の側に突き出して前記第1円筒ヒンジ(11)の内周面に突き当てられる弾性突起(341)が備えられていることを特徴とする、請求項１から請求項６のいずれか一項に記載の棒状化粧品容器が内蔵されたコンパクト容器。
【請求項８】
前記弾性突起(341)は、舌状の弾性部材(34)により形成されていることを特徴とする、請求項７に記載の棒状化粧品容器が内蔵されたコンパクト容器。
【請求項９】
前記弾性部材(34)は、Ｕ字状のスリットにより形成されていることを特徴とする、請求項８に記載の棒状化粧品容器が内蔵されたコンパクト容器。
【請求項１０】
前記作動部材(40)の内側には棒状化粧品容器(60)の締結溝(61)と締結される締結突起(43)が形成されることを特徴とする、請求項１〜９のいずれか一項に記載の棒状化粧品容器が内蔵されたコンパクト容器。
【請求項１１】
締結突起(43)は、前記作動部材(40)に形成された舌状の部分の先端に備えられていることを特徴とする請求項１０に記載の棒状化粧品容器が内蔵されたコンパクト容器。
【請求項１２】
前記作動部材(40)の舌状の部分が、コの字状のスリットにより形成されていることを特徴とする請求項１１に記載の棒状化粧品容器が内蔵されたコンパクト容器。
【請求項１３】
前記締結溝(61)は、前記棒状化粧品容器(60)の周方向に延びるリング状であることを特徴とする、請求項１０〜１２のいずれか一項に記載の棒状化粧品容器が内蔵されたコンパクト容器。
【請求項１４】
前記コンパクト容器本体(10)の中央内側には内容物容器(50)が挿入されて、上側にはコンパクト中間蓋(54)が結合されて、前記の内容物容器(50)の上側では内容物容器蓋(51)がヒンジピン(52)により結合されることを特徴とする、請求項１〜１３のいずれか一項に記載の棒状化粧品容器が内蔵されたコンパクト容器。
【発明の詳細な説明】
【技術分野】
【０００１】
本発明は棒状化粧品容器が内蔵されたコンパクト容器に関し、より詳細にはコンパクト容器のヒンジの部分に棒状化粧品容器を内蔵して保管して使用できる、コンパクト容器と棒状化粧品容器を共に携帯して使用できる、棒状化粧品容器が内蔵されたコンパクト容器に関する。
【０００２】
また、コンパクト容器内部に棒状化粧品容器作動部材を設け、コンパクト容器蓋を開けると、コンパクト容器のヒンジの部分から棒状化粧品容器が出てきて、コンパクト容器蓋を閉じると、コンパクト容器のヒンジの部分の内部へ棒状化粧品容器が入る。ちなみに、自動的に棒状化粧品容器がコンパクト容器から突出または受容される、棒状化粧品容器が内蔵されたコンパクト容器に関する。
【背景技術】
【０００３】
一般的に女性は、自身の顔が華やかで美しく見えるように化粧する。化粧は大きく基礎化粧、色調（メーキャップ）化粧、頭髪化粧、ボディー化粧などに分類される。その中の色調化粧は基礎化粧が終わった後、顔をより一層華やかに整えるのを目的とする化粧であり、美的、色彩、流行感覚を考慮しなければならない化粧である。
【０００４】
上記色調化粧はメーキャップ ベース、ファウンデーション、パウダーを利用した皮膚表現化粧品とアイシャドー、アイライナー、アイプロウ、マスカラを利用した目のための化粧品と、リップスティック、リップグロス、リプクリームを利用した唇のための化粧品と、頬とあごの部分などに色調化粧の際、利用するチーク用化粧品に分類される。
【０００５】
上記の色調化粧品の中、互いに使用上連係性を有して使われる代表的な製品として、コンパクトとリップスティックがあり、多くの女性達はコンパクトやリップスティックをハンドバッグに携帯して持ち歩きながら使用する。
【０００６】
ところが、上記コンパクトとリップスティックは顔に色調化粧をする時、常に一緒に使用するにも関わらず、別々に携帯しなければならないので不便である。特に、ハンドバッグ中の他の携帯品とごちゃ混ぜになった場合は、それぞれを探すことが、煩わしくなる。
【０００７】
上記のような問題を解消するために、図1に示した大韓民国実用新案登録第20-0445594号では、コンパクトとリップスティックが結合されたコンパクト容器が開示されている。上記従来技術はよく共に使用される関連性がある化粧品を互いに結合して保管して、共に携帯できるようにしたコンパクト容器である。
【０００８】
上記従来技術はコンパクト容器1と上記コンパクト容器1の一つ側に形成されたリップスティック容器2と、上記コンパクト容器1の締結部6の両側壁に備わって傾斜部3及び直面部4を有する案内レール5と、上記リップスティック容器2の両側壁に備われ、傾斜部7及び直面部8で構成される締結手段9を具備して、上記案内レール5の誘導によって、上記リップスティック容器2を締結部6に脱着可能に構成されている。
【０００９】
しかし、上記従来技術はリップスティック容器2がコンパクト容器1外部に単純に係止して結合されているので、上記コンパクト容器1をハンドバッグに携帯する時、外部衝撃によってリップスティック容器2が簡単にコンパクト容器1から分離される問題がある。
【００１０】
上記の問題を解決するために図2に示したように、リップスティックが内蔵されたコンパクト容器として、日本公開特許特開平8-38246号が開示されているところ、上記従来技術はコンパクト容器のヒンジの部分にリップスティックを内蔵してリップスティックがコンパクト容器から簡単に離脱しないようにするためのものであり、リップスティック200と上記リップスティック200とを収納きるヒンジの部分に円筒形の収納庫202を有するコンパクト容器201から構成されている。
【００１１】
しかしながら、上記従来技術はコンパクト容器201の開閉とともに自動的にリップスティック200がコンパクト容器201から突出または受容されないために、使用者が直接コンパクト容器201からリップスティック200を取り出して使用し、使用が終わった後、再び直接戻して入れなければならないことが不便である。
【発明の概要】
【発明が解決しようとする課題】
【００１２】
本発明は上記のような問題点を解決するために案出されたものであり、コンパクト容器のヒンジの部分に棒状化粧品容器を内蔵して保管して使用できるようにして、コンパクト容器と棒状化粧品容器を共に携帯して使用できる、棒状化粧品容器が内蔵されたコンパクト容器を提供することに目的がある。
【００１３】
また、本発明はコンパクト容器内部に棒状化粧品容器の作動部材を設けて、コンパクト容器蓋を開ければコンパクト容器のヒンジの部分から棒状化粧品容器が出てきて、コンパクト容器蓋を閉じればコンパクト容器のヒンジの部分内部へ棒状化粧品容器が入るようにすることによって、コンパクト容器の開閉とともに、自動的に棒状化粧品容器がコンパクト容器から突出または受容される、棒状化粧品容器が内蔵されたコンパクト容器を提供することに目的がある。
【課題を解決するための手段】
【００１４】
本発明は、コンパクト容器蓋がコンパクト容器本体にヒンジ結合されて、棒状化粧品容器がコンパクト容器本体に内蔵されたコンパクト容器であって、中央内側に内容物容器50が挿入されて、ヒンジ側に第1円筒ヒンジ11と第2円筒ヒンジ12が形成されたコンパクト容器本体10と、前記コンパクト容器本体10の上側にヒンジ結合されて蓋円筒ヒンジ21が形成されたコンパクト容器蓋20と、前記第1円筒ヒンジ11と蓋円筒ヒンジ21内に挿入されて、コンパクト容器蓋20とコンパクト容器本体10とをヒンジ結合する回転円筒ヒンジ30と、前記第2円筒ヒンジ12と回転円筒ヒンジ30の端部内に挿入されてコンパクト容器蓋20とコンパクト容器本体10とをヒンジ結合する作動部材40と、前記回転円筒ヒンジ30と作動部材40内へ挿入される棒状化粧品容器60とを含み、
前記コンパクト容器本体10の第1円筒ヒンジ11及び第2円筒ヒンジ12は内部が貫通された円筒形状であり、前記第2円筒ヒンジ12内側には前記作動部材40の第1突起41が差し込まれてスライディングされる、直線凹所121が形成されて、前記コンパクト容器蓋20の蓋円筒ヒンジ21は内部が貫通された円筒形状であり、内部一側には差し込み突起211が突出形成されて、他側には装着環溝212が形成されて、前記回転円筒ヒンジ30の一側には差し込みスリット31、回転スリット32及び結合突起33が形成されて、他側には弾性突起341が形成された弾性部材34が形成されて、前記作動部材40の外側には前記コンパクト容器本体10の第2円筒ヒンジ12の直線凹所121に差し込まれる第1突起41と、回転円筒ヒンジ30の回転スリット32に差し込まれる第2突起42が突出形成されて、内側には締結突起43が形成されることを特徴とする棒状化粧品容器が内蔵されたコンパクト容器を提供する。
【００１５】
また、本発明のコンパクト容器本体10の中央内側には内容物容器50が挿入された後、上側にコンパクト中間蓋54が結合されるところ、前記の内容物容器50は外壁501と内壁502で形成されて、前記外壁501と内壁502の間に固定具53が差し込まれて、上側には内容物容器蓋51がヒンジピン52により結合されることを特徴とする。
【００１６】
また、本発明の内容物容器蓋51上部にはパフ内蔵空間511が形成されることを特徴とする。
【発明の効果】
【００１７】
上記のように、本発明に係る棒状化粧品容器が内蔵されたコンパクト容器は、コンパクト容器のヒンジの部分に棒状化粧品容器を内蔵して保管するので、コンパクト容器と棒状化粧品容器を共に携帯して使用することができる。
【００１８】
また、本発明に係る棒状化粧品容器が内蔵されたコンパクト容器は、コンパクト容器内部に棒状化粧品容器作動部材を設け、コンパクト容器蓋を開ければコンパクト容器のヒンジの部分から棒状化粧品容器が出てきて、コンパクト容器蓋を閉じればコンパクト容器のヒンジの部分内部へ棒状化粧品容器が入ることにより、コンパクト容器の開閉と共に自動的に棒状化粧品容器がコンパクト容器から突出または受容されるので、手軽に使用できる。
【図面の簡単な説明】
【００１９】
【図１】従来リップスティックが結合されたコンパクト容器斜視図。
【図２】従来の他のリップスティックが内蔵されたコンパクト容器斜視図。
【図３】本発明の一実施例に係る、棒状化粧品容器が内蔵されたコンパクト容器の斜視図。
【図４】本発明の一実施例に係る、棒状化粧品容器が内蔵されたコンパクト容器の分解斜視図。
【図５】図3のA-A断面図。
【図６】図5の状態において、コンパクト容器蓋を開放した状態を示す断面図。
【図７】本発明の一実施例に係る、棒状化粧品容器が内蔵されたコンパクト容器のコンパクト容器蓋を開放する時、棒状化粧品容器が引き出される状態の斜視図。
【図８】本発明の一実施例に係る、棒状化粧品容器が内蔵されたコンパクト容器のコンパクト容器本体に回転円筒ヒンジが結合されている状態の一部切開斜視図。
【図９】図8の状態において、作動部材が結合された状態の一部切開斜視図。
【図１０】図9の状態において、回転円筒ヒンジが回転する時、作動部材が作動する状態の一部切開斜視図。
【図１１】図9の状態において、回転円筒ヒンジが回転する時、作動部材が作動する状態の一部切開斜視図。
【発明を実施するための形態】
【００２０】
本発明に係る棒状化粧品容器が内蔵されたコンパクト容器の一実施例を、添付図面を参照して説明すれば次の通りである。
【００２１】
図3は、本発明の一実施例に係る、棒状化粧品容器が内蔵されたコンパクト容器の斜視図であり、図4は本発明の一実施例に係る、棒状化粧品容器が内蔵されたコンパクト容器の分解斜視図であり、図5は図3のA-A断面図である。図6は、図5の状態において、コンパクト容器蓋を開放した状態を示す断面図である。図7は、本発明の一実施例に係る、棒状化粧品容器が内蔵されたコンパクト容器のコンパクト容器蓋を開放する時、棒状化粧品容器が引き出される状態の斜視図である。図8は本発明の一実施例に係る、棒状化粧品容器が内蔵されたコンパクト容器のコンパクト容器本体に回転円筒ヒンジが結合されている状態の一部切開斜視図である、図9は、図8の状態において、作動部材が結合された状態の一部切開斜視図である。図10と図11は、図9の状態において、回転円筒ヒンジが回転する時、作動部材が作動する状態の一部切開斜視図である。
【００２２】
本発明はコンパクト容器蓋がコンパクト容器本体にヒンジ結合されて、棒状化粧品容器がコンパクト容器本体に内蔵されたコンパクト容器であって、中央内側に内容物容器50が挿入されて、ヒンジ側に第1円筒ヒンジ11と第2円筒ヒンジ12が形成されたコンパクト容器本体10と、前記コンパクト容器本体10の上側にヒンジ結合されて蓋円筒ヒンジ21が形成されたコンパクト容器蓋20と、前記第1円筒ヒンジ11と蓋円筒ヒンジ21内に挿入されて、コンパクト容器蓋20とコンパクト容器本体10とをヒンジ結合する回転円筒ヒンジ30と、
前記第2円筒ヒンジ12と回転円筒ヒンジ30の端部内に挿入されてコンパクト容器蓋20とコンパクト容器本体10をヒンジ結合する作動部材40と、前記回転円筒ヒンジ30と作動部材40内に挿入される棒状化粧品容器60とを含む。
【００２３】
前記コンパクト容器本体10は第1円筒ヒンジ11と第2円筒ヒンジ12を備える。前記第1円筒ヒンジ11及び第2円筒ヒンジ12は内部が貫通された円筒形状であり、前記第2円筒ヒンジ12内側には前記作動部材40の第1突起41が差し込まれてスライディングされる、直線凹所121を設ける。
【００２４】
前記コンパクト容器蓋20の蓋円筒ヒンジ21は内部が貫通された円筒形状であり、内部一側には差し込み突起211が突出形成されて、他側には装着環溝212が形成される。
【００２５】
前記差し込み突起211は回転円筒ヒンジ30の差し込みスリット31に差し込まれる。
【００２６】
前記装着環溝212には図8に示したように回転円筒ヒンジ30の結合突起33が結合される。
【００２７】
前記回転円筒ヒンジ30の一側には差し込みスリット31、回転スリット32及び結合突起33が形成されて、他側には弾性突起341が形成された弾性部材34が形成される。
【００２８】
前記差し込みスリット31にはコンパクト容器蓋20の蓋円筒ヒンジ21に形成された差し込み突起211が差し込まれて、前記コンパクト容器蓋20を開閉する際、回転円筒ヒンジ30も、共に回転する。
【００２９】
前記回転スリット32には作動部材40の第2突起42が差し込まれて回転円筒ヒンジ30が回転する時、前記作動部材40は直線移動する。
【００３０】
前記結合突起33は回転円筒ヒンジ30の外周面に形成されて、図8に示したようにコンパクト容器蓋20の蓋円筒ヒンジ21に形成された装着環溝212に結合されて回転円筒ヒンジ30がコンパクト容器本体10から分離されないようにする。
【００３１】
前記弾性部材34は、外側に弾性突起341が形成される。前記弾性突起341は、回転円筒ヒンジ30が第1円筒ヒンジ11内に挿入装着される時、前記第1円筒ヒンジ11の内周面に密着して回転円筒ヒンジ30が第1円筒ヒンジ11内で空転することを防止する。よって、前記回転円筒ヒンジ30と結合されたコンパクト容器蓋20の開閉作動の回転触感をスムーズに維持できる。
【００３２】
前記作動部材40は外側に前記コンパクト容器本体10の第2円筒ヒンジ12の直線凹所121に差し込まれる第1突起41と、回転円筒ヒンジ30の回転スリット32に差し込まれる第2突起42が突出形成されて、内側には締結突起43が形成される。
【００３３】
前記締結突起43は図9で明確に示した。
【００３４】
前記第1突起41は、第2円筒ヒンジ12の直線凹所121に差し込まれて作動部材40を直線にスライディングさせることができる。
【００３５】
前記第2突起42は、回転円筒ヒンジ30の回転スリット32に差し込まれて前記回転円筒ヒンジ30が回転する時、図10と図11に示したように作動部材40を直線方向に動かす。
【００３６】
前記締結突起43は、作動部材40の切開された外周面の内側に形成されて、棒状化粧品容器60が回転円筒ヒンジ30と作動部材40内に挿入される時、前記棒状化粧品容器60に形成された締結溝61と締結される。
【００３７】
前記コンパクト容器本体10の中央内側には内容物容器50が挿入された後、上側にコンパクト中間蓋54が結合される。前記の内容物容器50は外壁501と内壁502で形成されて、前記外壁501と内壁502の間に固定具53が差し込まれて、上側ではヒンジピン52により内容物容器蓋51が結合する。
【００３８】
前記コンパクト容器本体10には係止突起151が形成されたボタン15が結合されて、前記コンパクト容器蓋20にはフック25が形成されて、前記ボタン15の係止突起151とフック25が結合されてコンパクト容器蓋20がコンパクト容器本体10に締結される。
【００３９】
使用者が前記ボタン15を押すと、ボタン15の上部に延長形成された係止突起151が後退されてコンパクト容器蓋20のフック25から離脱して、コンパクト容器蓋20が開かれる。
【００４０】
前記コンパクト容器蓋20は、コンパクト容器本体10の上部を覆い、コンパクト容器本体10とヒンジ結合に連結されて、コンパクト容器本体10を開放又は閉鎖する。
【００４１】
前記内容物容器50内には、プレストパウダー又はゲル状ファウンデーションのような化粧品が内蔵され、又は、スポンジのような含浸部材に化粧品内容物が含浸されて内蔵される。
【００４２】
上記含浸部材が内容物容器50から離脱しないように上記固定具53が内容物容器50に差し込まれる。
【００４３】
前記コンパクト容器蓋20の内側には鏡26が付着でき、使用者は前記コンパクト容器蓋20を開いて鏡26を見ながら化粧できる。
【００４４】
前記の内容物容器蓋51上部にはパフ内蔵空間511が設けられて、パフが内蔵されることができる。
【００４５】
前記棒状化粧品容器60はリプスティック容器、リップグロス容器、リップクレヨン容器、マスカラ容器、アイライン容器など棒状形態の化粧品容器であり、棒状化粧品容器60には締結溝61が設けられる。
【００４６】
前記締結溝61は、作動部材40の締結突起43と締結されて、棒状化粧品容器60が外部衝撃によって本発明のコンパクト容器から簡単に分離されることを防止する。
【００４７】
本発明の一実施例に係る、棒状化粧品容器が内蔵されたコンパクト容器の組み立て方法及び使用状態を詳細に説明すると、次の通りである。
【００４８】
本発明の棒状化粧品容器が内蔵されたコンパクト容器を組み立てるために、コンパクト容器本体10内の中央に内容物容器50を挿入して、固定具53を内容物容器50の外壁501と内壁502の間で結合させる。
【００４９】
続いて、前記コンパクト中間蓋54をコンパクト容器本体10の上に結合して内容物容器50が離脱しないようにする。
【００５０】
そして、前記コンパクト中間蓋54の上に露出した内容物容器50のヒンジブロック503に内容物容器蓋51のヒンジ512を組み立てた後、ヒンジピン52で前記ヒンジブロック503とヒンジ512を結合する。
【００５１】
その次、コンパクト容器本体10の第1円筒ヒンジ11と第2円筒ヒンジ12の間にコンパクト容器蓋20の蓋円筒ヒンジ21を位置させた後、上記第1円筒ヒンジ11内に回転円筒ヒンジ30を挿入させて前記回転円筒ヒンジ30の差し込みスリット31が蓋円筒ヒンジ21の差し込み突起211と締結させる。
【００５２】
この時、回転円筒ヒンジ30の結合突起33は図8に示したように、蓋円筒ヒンジ21の装着環溝212と締結されて、前記回転円筒ヒンジ30が第1円筒ヒンジ11から分離しないようにする。
【００５３】
そして前記回転円筒ヒンジ30において弾性突起341が形成された弾性部材34は、第1円筒ヒンジ11の内周面を弾性圧迫して回転円筒ヒンジ30が第1円筒ヒンジ11内で回転する時、緩く回転せず、タイトな回転感触を提供する。
【００５４】
その次、コンパクト容器本体10の第2円筒ヒンジ12内へ作動部材40を挿入して、作動部材40の第1突起41は第2円筒ヒンジ12の直線凹所121に締結されて、第2突起42は図9に示したように回転円筒ヒンジ30の回転スリット32に位置するように結合される。
【００５５】
そして、棒状化粧品容器60を回転円筒ヒンジ30内側へ挿入して本発明の棒状化粧品容器が内蔵されたコンパクト容器の組み立てが完了する。
【００５６】
この際、前記棒状化粧品容器60は一側に形成された締結溝61が作動部材40の締結突起43と締結されているので、ハンドバッグに保管して携帯する時、ハンドバッグがひどく揺さぶれてもハンドバックに衝撃が加えられても、棒状化粧品容器60がコンパクト容器本体10外に離脱せず安定に保管できるので、使用者がハンドバッグ内で棒状化粧品容器60をあっちこっち探さなければならない不便な体験をしなくても良い。
【００５７】
上記の方法により、組み立てられた棒状化粧品容器が内蔵されたコンパクト容器の棒状化粧品容器60を使うためには、図7に示したようにコンパクト容器蓋20を回転させて開放する。
【００５８】
この時、前記コンパクト容器蓋20の回転動作と連動して棒状化粧品容器60がコンパクト容器から自動的に引き出されて便利に使用できる。
【００５９】
これを詳細に説明すれば、前記棒状化粧品容器60をコンパクト容器から自動的に引き出すためにコンパクト容器蓋20を回転させると、前記コンパクト容器蓋20の蓋円筒ヒンジ21に形成された差し込み突起211が回転円筒ヒンジ30の差し込みスリット31に締結されているので、コンパクト容器蓋20の回転によって前記回転円筒ヒンジ30が回転する。
【００６０】
この際、図10に示したように、回転円筒ヒンジ30の回転スリット32に位置する作動部材40の第2突起42が前記回転スリット32に沿って移動するところ、前記作動部材40の第1突起41が第2円筒ヒンジ12の直線凹所121に位置するので、第2突起42が回転スリット32上を移動する時、前記作動部材40は直線凹所121上で直線スライディング移動をする。
【００６１】
以後、コンパクト容器蓋20をさらに開放すれば、図11に示したように作動部材40がコンパクト容器本体10の第2円筒ヒンジ12内側へ、さらに移動する。
【００６２】
前記作動部材40の移動によって作動部材40の締結突起43に締結された棒状化粧品容器60が図7に示したように回転円筒ヒンジ30外部に突出する。
【００６３】
前記回転円筒ヒンジ30の外部へ露出した棒状化粧品容器60を、使用者は掴み、取り出して使用する。この時には棒状化粧品容器60の締結溝61に締結されている作動部材40の締結突起43が離脱しながら、棒状化粧品容器60が引き出される。
【００６４】
使用者が棒状化粧品容器60で化粧する時には鏡を見ながら化粧をすることになるが、本発明では棒状化粧品容器60をコンパクト容器本体10から引き出すためにコンパクト容器蓋20を開けば、図6に示したようにコンパクト容器蓋20内側に鏡26が装着されているので便利に化粧できる。
【００６５】
化粧が終わった後には、コンパクト容器蓋20をコンパクト容器本体10に向けて閉じて、棒状化粧品容器60を回転円筒ヒンジ30内側へ挿入する。その際、棒状化粧品容器60の締結溝61が作動部材40の締結突起43に締結されるまでに、棒状化粧品容器60を挿入する。          
【００６６】
これにより、棒状化粧品容器60をコンパクト容器本体10内に安全に保管する。
【００６７】
以上、本発明で説明したことは棒状化粧品容器が内蔵されたコンパクト容器を実施するための一つの実施例であり、本発明は上記実施例に限定されない。添付された請求範囲により、請求する本発明の要旨を超えない範囲で、発明が属する分野において通常の知識を有する者なら誰でも多様な変更実施が可能な範囲までが、本発明の範囲に属すると解釈すべきであろう。
【符号の説明】
【００６８】
10:コンパクト容器本体        11:第1円筒ヒンジ
12:第2円筒ヒンジ             121:直線凹所
20:コンパクト容器蓋          21:蓋円筒ヒンジ
211:差し込み突起             30:回転円筒ヒンジ
31:差し込みスリット          32:回転スリット
33:結合突起                  34:弾性部材
40:作動部材                  41:第1突起
42:第2突起                   43:締結突起
50:内容物容器                51:内容物容器蓋
53:固定具                    54:コンパクト中間蓋
60:棒状化粧品容器            61:締結溝
【図１】
0006353920.tif 000002
【図２】
0006353920.tif 000003
【図３】
0006353920.tif 000004
【図４】
0006353920.tif 000005
【図５】
0006353920.tif 000006
【図６】
0006353920.tif 000007
【図７】
0006353920.tif 000008
【図８】
0006353920.tif 000009
【図９】
0006353920.tif 000010
【図１０】
0006353920.tif 000011
【図１１】
0006353920.tif 000012